(57)【要約】【課題】  中間層が耐圧性能に優れ、外部衝撃や土圧に耐えるに充分な強度を備え、中間層としての空間部を充分に維持し、通水の方向性を一定化し、集排水効率を向上させ、集めた水を確実に速やかに排水管に案内することができる集排水板の提供。【解決手段】  所定幅に形成した合成樹脂製テープ素材を側面視において略コの字形凹凸状に形成した波形テープ１ａを相互に所定の間隔を保たせて多数条平行に配設させた中間層１と、この中間層１の表裏両面に配置され、各波形テープ１ａとの接当面において貼着された透水性ネット２，２とからなる板状体Ｐであって、前記波形テープ１ａの長さ方向に平行な一側縁部において、前記透水性ネット２，２の外周面を覆う状態で不透水性シート３が断面Ｕの字形に被覆貼着されて樋Ｌを形成してあるもの。【選択図】        図１
2006037470.tif 000002
【特許請求の範囲】
【請求項１】
所定幅に形成した合成樹脂製テープ素材を側面視において略コの字形凹凸状に形成した波形テープ(1a)を相互に所定の間隔を保たせて多数条平行に配設させた中間層(1)と、この中間層(1)の表裏両面に配置され、各波形テープ(1a)との接当面において貼着された透水性ネット(2),(2)とからなる板状体(P)であって、前記波形テープ(1a)の長さ方向に平行な一側縁部において、前記透水性ネット(2),(2)の外周面を覆う状態で不透水性シート(3)が断面Ｕの字形に被覆貼着されて樋(L)を形成している集排水板。
【請求項２】
波形テープ(1a)の波形の頂面と底面との外表面が略平坦面に形成されている請求項１に記載の集排水板。
【請求項３】
各波形テープ(1a)が、頂面と底面との凹凸状が隣り合う方向において互いに同一位置となるように揃えて配設されている請求項１または２に記載の集排水板。
【請求項４】
各波形テープ(1a)が、頂面と底面との凹凸状が隣り合う方向において互いに千鳥足状配置となるように揃えて配設されている請求項１または２に記載の集排水板。
【発明の詳細な説明】
【技術分野】
【０００１】
本発明は、主として軟泥地や湧水地の地中に配設して、土壌中の湧水や降雨による浸透水等を集水し所定の排水管に排水させ、土壌の安定化を図るために使用する集排水板、より詳しくは、中間層が多数の波形テープで形成されている集排水板に関する。
【背景技術】
【０００２】
このように土壌中の水を集めて排水する必要性は、傾斜地にあっては、土砂崩れのような傾斜面の崩壊を防止するために、農業分野においては、土壌を乾燥させ、土壌塩の蓄積を回避させ、作物の増収を図るために、道路建設にあっては、道路下層の水が土壌を軟化させて路床を沈下させたり、凍結して路床を膨張させたりすることによって引き起こされる舗装の破壊防止のために、建築分野においても、土壌基盤の軟化による建築物の倒壊の発生防止のために等のそれぞれの理由によるものである。
【０００３】
而して、土壌中の水の集排水を行う一手段として、実開昭６０−３２４３２号公報に、所定の間隔を隔てて平行に配設した一対のシート状部材間に、ジグザグ形状をなす帯状の間隔保持部材を多数互いに間隔を隔てて配設し、この間隔保持部材の屈曲端部をシート状部材に接着して一体化させた排水マットが開示されている。
【０００４】
この排水マットの３層構造と同様の構造は、遮水壁としてではあるが、特許第３２９５７０２号公報にも開示されており、その構造の詳細は、下部遮水シートと上部遮水シートとの間に、多数本の波形テープが相互に所定の間隔を隔てて平行に配置されて形成された緩衝層の上下面にネットが貼着されている構造をなす遮水壁である。
【０００５】
これら排水マットと遮水壁は、それぞれ使用目的が異なるものの、中間層に多数本の波形テープが所定の間隔を隔てて平行に配置されていて、ともに、外部からの衝撃や重圧を緩衝し、十分な強度を備え、原形維持に寄与するという効果を奏する点において共通している。
【特許文献１】実開昭６０−３２４３２号公報
【特許文献２】特許第３２９５７０２号公報
【発明の開示】
【発明が解決しようとする課題】
【０００６】
しかしながら、排水マットの場合、多数の波形テープによって形成される中間層はシート状部材から吸収された水の通水路となるが、通水の方向によって、波形テープの波形の幅、高さが通水の障害となり、効率的な集排水を行うことができず、前述の先行技術は、このことが勘案されたものではない。
【０００７】
そこで、本発明は、中間層が耐圧性能に優れた多数の波形テープで構成された集排水板であって、外部からの衝撃や土圧に耐えるに充分な強度を備え、圧壊して扁平状となることなく中間層としての空間部を充分に維持し、中間層での通水の方向性を一定化して集排水効率を向上させ、同時に、集めた水を確実にかつ速やかに排水管に案内することができる集排水板を提供するものである。
【課題を解決するための手段】
【０００８】
この課題を解決するために講じた本発明の構成を、実施例を示す図面に使用した符号を用いて説明すると、所定幅に形成した合成樹脂製テープ素材を側面視において略コの字形凹凸状に形成した波形テープ１ａを相互に所定の間隔を保たせて多数条平行に配設させた中間層１と、この中間層１の表裏両面に配置され、各波形テープ１ａとの接当面において貼着された透水性ネット２，２とからなる板状体Ｐであって、前記波形テープ１ａの長さ方向に平行な一側縁部において、前記透水性ネット２，２の外周面を覆う状態で不透水性シート３が断面Ｕの字形に被覆貼着されて樋Ｌを形成している構成としたものである。
【０００９】
また、このような構成とした集排水板を実施するに当たっては、波形テープ１ａの波形の頂面と底面との外表面を略平坦面に形成してあるものとして実施したり、各波形テープ１ａを、頂面と底面との凹凸状が隣り合う方向において互いに同一位置となるように揃えて配設させてあるものとして実施したり、これらの波形テープ１ａを、頂面と底面との凹凸状が隣り合う方向において互いに千鳥足状配置となるように揃えて配設させてあるものとして実施したりすることができる。
【発明の効果】
【００１０】
本発明にいうところの集排水板は、表裏２枚の透水性ネットの間に、側面視において略コの字形凹凸状に形成した波形テープを間隔保持用のスペーサーとして使用し、この波形テープの多数条を相互に所定の間隔を保たせながら平行に配設させてあるものとしてあるので、波形テープの長さ方向に平行な方向には硬くて曲がりにくく、直線状態を維持し、波形テープの長さ方向と交差する方向には、波形テープどうしの間隔を保つ透水性ネットだけの部分の存在によって、このネットだけの部分で曲がり易く、曲げ方向に変形し易いという性質を有している。本発明は、このような集排水板の性質を巧みに利用して、波形テープの長さ方向に平行な透水性ネットの一側縁部分に不透水性シートを断面Ｕの字形に樋状に被覆貼着してあるものとし、この被覆貼着した一側縁部分を下方にして、かつ、その下縁を排水方向が下降側となるように傾斜させて配置し、その下降側の一端を排水管の開口部に配置させて敷設することにより、雨水等の上方からの降下浸透水や下面側からの湧水や溜まり水を、透水性ネットを透過させて内部空間内に集め、この集めた水を下方即ち不透水性シートの方向に移行させ、不透水性シートで形成された断面Ｕの字形の樋に集め、樋の傾斜に沿って略直線状に移動させて排水管に排水させる。
【００１１】
このように一旦透水性ネットを透過して内部空間内に入り込んだ水は、下面側の透水性ネット面に案内されながら、同時に波形テープの底部の内面上を乗り越えながら、円滑に樋に集められ、この樋内に集められた水は、長手方向には硬くて曲がりにくく直線状態を維持する性質をもつ波形テープの長さ方向に沿って形成された樋内を、排水管に向かって略直線状に案内されながら移動し排水管に排出されることとなるので、集排水能力を大きく高めることができる利点を有する。
【００１２】
更に、本発明にいうところの集排水板は、波形テープを相互に所定間隔を保たせながら平行に配設させてあることにより、前記のように、波形テープの長さ方向と交差する方向には、透水性ネットだけの部分が波形テープに沿った状態で襞状に曲げ変形し易いという性質により、傾斜地内に埋設したとき、埋設時において、または埋設後における地形の変化によって、埋設地の地形に沿って襞状に変形させ易く、この襞によって傾斜地内での位置を安定させ、下方へのずり落ち、位置ずれ防止に大いに役立ち、埋設位置の安定とともに、集水能力の維持と永続化に大いに役立ち、集排水能力の低下を防止しまたは大幅に遅らせることができるという利点を有するものである。
【発明を実施するための最良の形態】
【００１３】
本発明を実施するにあたって、中間層１を形成する素材である波形テープ１ａは、ポリエチレン、ポリプロピレン等のポリオレフィン系熱可塑性合成樹脂の単体、または複合体の硬質の樹脂素材を用いて厚手で狭幅の帯状に押出し成形する。この中間層１を形成する波形テープ１ａは、土中に敷設した場合に土壌にかかる荷重に対して圧潰を防ぐに足る耐圧強度を必要とする。そのためには、波形テープ１ａの厚さ、幅、波のピッチ並びに凹凸波形の高さが釣り合っていることが必要である。テープ厚を薄くした場合、あるいはテープ波形のピッチを大きくすれば耐圧潰強度が低下し、テープ厚を厚いものとすればコストが上昇するだけでなく運搬に不便で、地中への配設作業性を低下させることとなる。このテープ寸法の目安を例示すると、厚さ０．５〜２ｍｍ、幅５〜３０ｍｍ、波のピッチ５〜３０ｍｍ、波の高さ５〜３０ｍｍ程度が適当である。また、波形テープ１ａを形成するに当たっては、波形の頂面と底面とが略平坦面に形成されている構成として実施することによって、該波形テープ１ａとその表裏両面に貼着される透水性ネット２，２との接着面積を大きくすることができ、両者の接着を確実なものとすることができる。このことは、土圧による透水性ネット２，２への直接圧を最小限に低減させ、たわみを小さくして内部空間を確実に維持することができる利点がある。また、波形テープ１ａどうしの配置関係では、相互に隣り合う波形テープ１ａの山部分同士、谷部分同士を揃えて配設することにより、個々の波形テープ１ａの波形の方向に直交する方向への水の流れを、抵抗を少なくして流すことができる利点がある。
【００１４】
中間層１の両面に貼着する透水性ネット２は、素材は特に限定されるものではないが、製造が容易で、波形テープ１ａとの融着性を勘案すると、ポリエチレン、ポリプロピレン、ポリアミド等を主材とした、延伸処理を施した抗張力を有する熱可塑性合成樹脂の単体、または複合素材が好ましい。透水性ネット２のメッシュは、大きすぎると波形テープ１ａが形成する集排水用の空間が侵入土砂で埋まって排水能力を低下させる虞があり、小さすぎると土砂によって目詰まりして集水能力を低下させる虞があるので、目詰まりによる集水能力の大幅な低下がなく、土砂の侵入で水の流れが大幅に阻害されることがないように、配設使用場所の土壌の種類や状態に応じて多少の大小を設けた幾種かのものを製造することが好ましい。実体的には内部空間内への土砂の浸入を防ぐ程度の大きさのものとし実寸的には０．３〜０．５ｍｍ程度の小孔が好ましい。この透水性ネット２の構造、製法についても特に限定しないが、延伸処理した膜状素材を繊維状または１〜２ｍｍ幅に裁断した薄いテープ状物を縦横に配列してその交点を融着させるか、織物状に織ることによって容易に得られる。
【００１５】
集めた水を一定方向に案内する不透水性シート３は、水が透過して漏水することがない膜状のものであれば特に限定されるものではないが、前記透水性ネット２と接着剤を介しての接着性や加熱による融着性に富んだ素材が好ましい。例えば、透水性ネット２の素材と同様のポリエチレン、ポリプロピレン、ポリアミド等を主材とした樹脂製のシートが好ましい。
【実施例】
【００１６】
以下、本発明の実施例を図示例と共に説明する。図１乃至図８は本願発明の第１実施例を示す図であって、図１は集排水板から不透水性シートを分離した斜視図、図２は集排水板の中間層と透水性ネットの分解斜視図、図３は集排水板の斜視図、図４は集排水板の一部正面図、図５は図４におけるＡ方向から見た集排水板の形状を示す図、図６は図４におけるＢ方向から見た集排水板の形状を示す図、図７はのり面に集排水板を敷設した状態を示す図、図８は集排水板と集水管の配置状態を示す図である。
【００１７】
図１乃至図６に示す第１実施例の集排水板は、中間層１と、該中間層１の表裏両面に、加圧加熱融着手段によって貼着形成された２枚の透水性ネット２,２とからなる板状体Ｐと、樋を形成する不透水性シート３とからなっていて、中間層１は、ポリエチレン樹脂を素材として、厚さ約１ｍｍ、幅約９ｍｍの帯状に押出成形し、ピッチ約１８ｍｍ、上下間の高さ約１０ｍｍとし、波形の頂面と底面を略平坦面とし、側面視でやや角張ったコの字形の角形凹凸波形状に形成した波形テープ１ａを、幅方向において約７ｍｍの間隔を隔てて多数本を平行に配列してある。
【００１８】
透水性ネット２は、ポリエチレン樹脂を素材として、幅約１〜２ｍｍの延伸加工を施した約０．１〜０．３ｍｍ厚のポリエチレンフィルムを１ｃｍ２当たり１５〜２０の小孔を有するように平織りして形成したものである。この透水性ネット２は、中間層１の上下両面に、即ち中間層１を構成する波形テープ１ａの表裏の頂面にそれぞれ熱融着してある。
【００１９】
また、不透水性シート３も、ポリエチレン樹脂を素材として形成した０．３〜０．５ｍｍ程度の厚さのフィルムであって、波形テープ１ａの長さ方向に平行な方向の透水性ネット２,２の一側縁部をＵ字形に被覆するように断面Ｕの字形に折り曲げられ、表裏両面の透水性ネット２,２に、例えば加熱融着手段によって接着され、表裏の透水性ネット２のメッシュ孔から中間層１内に浸透して集められた水を中間層１内を抵抗の少ない状態で不透水性シート３で形成された樋Ｌ内に集められ、この透水性シート３による樋Ｌに案内されながらこの樋Ｌの端に設けられた排水管Ｄに排水されて所要の排水池や排水用路等に流される。
【００２０】
本実施例の中間層１を構成する波形テープ１ａ、透水性ネット２や不透水性シート３の材料や寸法並びに配置間隔やメッシュの大きさは１例であって、実施の形態の項で説明したようにある程度の幅で変形して実施することができる。
【００２１】
図７及び図８に本実施例の集排水板の使用状態を例示する。前記の構造とした集排水板を地中の傾斜地または軟泥地に傾斜状に埋設する。このとき被覆貼着した一側縁部を下方側にすると同時にその下縁を傾斜させて一端側を排水管Ｄの開口部に一致させて配置し敷設する。このようにして、雨水等の上方からの降下浸透水や下面側からの湧水や溜まり水を透水性ネットの小孔を通して内部空間内に集める。この集めた水を自然力によって下方側の不透水性シートの方向に移行させて、不透水性シートで形成してある断面Ｕの字形の樋Ｌに集め、この集めた水を樋Ｌの傾斜に沿って排水管Ｄに排水させる。
【００２２】
一旦透水性ネットの小孔を通過して内部空間内に入り込んだ水は、下面側の透水性ネットに案内されながら、波形テープの谷部分上を乗り越えながら、樋Ｌに向かって下降し樋Ｌ内に集められる。この透過水を受け止める樋Ｌは、波形テープ１ａの長さ方向に沿って形成させてあるために、ほぼ直線状態を維持していて、樋Ｌ内に集まった水を排水管Ｄに向かって略直線状に排出する。このようにして、土壌改良や土壌の安定化の必要性のある土地の地中水を集めて排水池や排水用路等の所定箇所に排出するのに使用される。
【００２３】
以上本発明の代表例と思われる実施例について説明したが、本発明は、上述の実施例にのみ限定されるものではなく、その他本発明にいう前記の構成要件を備え、かつ本発明にいう目的を達成し、本発明にいう効果を有する範囲内において適宜改変して実施することができるものである。
【産業上の利用可能性】
【００２４】
本発明の集排水板は、透水性ネットの小孔を通過させて集めた水の通水方向と樋の位置を固定し、集排水を効率よく行うことができるため、種々の使用場所に応じて適用することができるので、集水の必要なあらゆる土地に適用することができ、その活用範囲は広いものである。
【図面の簡単な説明】
【００２５】
【図１】第１実施例の集排水板から不透水性シートを分離した斜視図。
【図２】同集排水板の中間層と透水性ネットの分解斜視図。
【図３】同集排水板の斜視図。
【図４】同集排水板の一部正面図。
【図５】同Ａ方向から見た集排水板の様子を示す図。
【図６】同Ｂ方向から見た集排水板の様子を示す図。
【図７】同のり面に集排水板を敷設した状態を示す図。
【図８】同集排水板と集水管の配置状態を示す図。
【符号の説明】
【００２６】
１  中間層
１ａ  波形テープ
２  透水性ネット
３  不透水性シート
Ｐ  板状体
Ｄ  排水管
Ｌ  樋
【図１】
2006037470.tif 000003
【図２】
2006037470.tif 000004
【図３】
2006037470.tif 000005
【図４】
2006037470.tif 000006
【図５】
2006037470.tif 000007
【図６】
2006037470.tif 000008
【図７】
2006037470.tif 000009
【図８】
2006037470.tif 000010